(57)【要約】【課題】確実に延面距離を確保することができるコイル部品の提供。【解決手段】導線が巻回されて巻回部が形成される巻胴部２１と、巻胴部２１の軸方向一端に設けられた端子台３０とを有し、巻胴部２１と端子台３０とから導線が巻回される巻回空間が画成されたボビン２０を備え、端子台３０には、端子台の外周から巻胴部２１側に向かって導線の巻回方向と交差するように延出し巻回空間内外を貫通するスリット３０ａが形成されると共に、端子台３０の軸方向において反巻回空間側に配置されたピン端子３５が設けられ、導線はスリット３０ａを貫通して巻回空間から導出されピン端子３５に接続され、スリット３０ａには、導線が挿通される第一通路３１ａが規定されると共に、第一通路３１ａに挿通された導線がスリット３０ａの延出方向への移動を規制する規制部３１ａを有するコイル部品１を提供する。【選択図】図２
2011222637.tif 000002
【特許請求の範囲】
【請求項１】
導線が巻回されて巻回部が形成される巻胴部と、該巻胴部の軸方向一端に設けられ該軸方向と交差する方向に拡がる端子台とを有し、該巻胴部と該端子台とから導線が巻回される巻回空間が画成されたボビンを備え、
該端子台には、該端子台の外周から該巻胴部側に向かって該導線の巻回方向と交差するように延出し該巻回空間内外を貫通するスリットが形成されると共に、該端子台の該軸方向において反巻回空間側に配置されたピン端子が設けられ、
該導線は該スリットを貫通して該巻回空間から導出され該ピン端子に接続され、
該スリットには、該導線が挿通される第一通路が規定されると共に、該第一通路に挿通された該導線が該スリットの延出方向への移動を規制する規制部を有することを特徴とするコイル部品。
【請求項２】
該端子台において該第一通路と該ピン端子との間には、該第一通路と連通して該軸方向と交差する方向に延設され該反巻回空間側に位置する第二通路と、該第二通路と連通して該軸方向及び該第二通路の延設方向と交差し該反巻回空間側に位置する第三通路とが形成され、
該導線は、該第一通路、該第二通路、該第三通路を経て該ピン端子に接続されることを特徴とする請求項１に記載のコイル部品。
【請求項３】
該端子台は、該第三通路近傍位置に配置され該軸方向と交差する方向に突出する突起部を有し、
該突起部には、該軸方向において、該第三通路と該ピン端子との間に位置する掛止面が規定され、
該導線は該第三通路から導出され該掛止面に掛けられて該ピン端子に接続されていることを特徴とする請求項２に記載のコイル部品。
【請求項４】
該規制部は、該スリット内面に該延出方向と交差するように形成された溝から提供され、該溝内に該第一通路が規定されていることを特徴とする請求項１から請求項３のいずれかに記載のコイル部品。
【請求項５】
該巻回部は、該導線が該巻胴部外周に積層して巻回されて形成され、
該導線は、該巻胴部への巻き初め位置から延出される一端と、該巻胴部への巻き終わり位置から延出される他端とを有し、
該ピン端子は、該一端が接続される一のピン端子と、該他端が接続される他のピン端子とを有し、
該スリットは一のスリットと他のスリットとを有し、
該第一通路は、該一のスリットに形成され該一端が挿通される一の第一通路と、該他のスリットに形成され該他端が挿通される他の第二通路とを有し、
該巻胴部の軸心から該一の第一通路までの距離は、該巻胴部の軸心から該導線の層の該一端が延出される位置までの距離と等しく、該巻胴部の軸心から該他の第一通路とまでの距離は、該巻胴部の軸心から該導線の層の該他端が延出される位置までの距離と等しくなるように構成されていることを特徴とする請求項１から請求項４のいずれか一に記載のコイル部品。
【請求項６】
該第二通路は、該軸方向において、該第三通路よりも該巻回空間側に位置していることを特徴とする請求項２に記載のコイル部品。
【請求項７】
該第三通路は、該軸方向において、該突起部よりも該巻回空間側に位置していることを特徴とする請求項３に記載のコイル部品。
【請求項８】
該掛止面は、該軸方向において、該ピン端子の該導線が接続される箇所よりも該巻回空間側に位置していることを特徴とする請求項３に記載のコイル部品。
【発明の詳細な説明】
【技術分野】
【０００１】
本発明はコイル部品に関する。
【背景技術】
【０００２】
従来から導線が巻回されて巻回部が形成された巻胴部と端子台とから構成されるボビンを備えたコイル部品が公知になっている。このコイル部品では、例えば特許文献１に示されるように、端子台に縦方向（実装面と直交する方向）に延設される溝が形成されており、巻回部から導線の一端および他端が溝を通って端子に導かれている。
【先行技術文献】
【特許文献】
【０００３】
【特許文献１】特開平９−１４８１４７号公報
【発明の概要】
【発明が解決しようとする課題】
【０００４】
上述のコイル部品を小型化した場合、上述の一端および他端と、巻回部等の他の導電部分との間の沿面距離を確保する問題が発生する。特に小型化、かつ高性能化（高電圧化）した場合には、沿面距離を確実に確保する必要がある。よって本発明は、確実に沿面距離を確保することができるコイル部品を提供することを目的とする。
【課題を解決するための手段】
【０００５】
上記課題を解決するために本発明は、導線が巻回されて巻回部が形成される巻胴部と、巻胴部の軸方向一端に設けられ軸方向と交差する方向に拡がる端子台とを有し、巻胴部と端子台とから導線が巻回される巻回空間が画成されたボビンを備え、端子台には、端子台の外周から巻胴部側に向かって導線の巻回方向と交差するように延出し巻回空間内外を貫通するスリットが形成されると共に、端子台の軸方向において反巻回空間側に配置されたピン端子が設けられ、導線はスリットを貫通して巻回空間から導出されピン端子に接続され、スリットには、導線が挿通される第一通路が規定されると共に、第一通路に挿通された導線がスリットの延出方向への移動を規制する規制部を有するコイル部品を提供する。
【０００６】
このような構成によると、導線が規制部でスリットの延出方向への移動が規制されるので、導線がスリットの延出方向へずれることが抑制される。よって導線が第一通路からずれることはなく、予め第一通路を適正な沿面距離が稼げる位置に配置することにより、確実な沿面距離を取ることができる。
【０００７】
上記構成のコイル部品において、端子台において第一通路とピン端子との間には、第一通路と連通して軸方向と交差する方向に延設され反巻回空間側に位置する第二通路と、第二通路と連通して軸方向及び第二通路の延設方向と交差し反巻回空間側に位置する第三通路とが形成され、導線は、第一通路、第二通路、第三通路を経てピン端子に接続されることが好ましい。
【０００８】
このような構成によると、導線が巻回部からピン端子まで引き回される経路において、沿面距離を稼ぐことができる。
【０００９】
また端子台は、第三通路近傍位置に配置され軸方向と交差する方向に突出する突起部を有し、突起部には、軸方向において、第三通路とピン端子との間に位置する掛止面が規定され、導線は第三通路から導出され掛止面に掛けられてピン端子に接続されていることが好ましい。
【００１０】
このような構成によると、導線が巻回部からピン端子まで引き回される経路において、更に沿面距離を稼ぐことができる。
【００１１】
また規制部は、スリット内面に延出方向と交差するように形成された溝から提供され、溝内に第一通路が規定されていることが好ましい。
【００１２】
このような構成によると、より確実に導線がスリットの延出方向へずれることを抑制することができる。
【００１３】
また巻回部は、導線が巻胴部外周に積層して巻回されて形成され、導線は、巻胴部への巻き初め位置から延出される一端と、巻胴部への巻き終わり位置から延出される他端とを有し、ピン端子は、一端が接続される一のピン端子と、他端が接続される他のピン端子とを有し、スリットは一のスリットと他のスリットとを有し、第一通路は、一のスリットに形成され一端が挿通される一の第一通路と、他のスリットに形成され他端が挿通される他の第二通路とを有し、巻胴部の軸心から一の第一通路までの距離は、巻胴部の軸心から導線の層の一端が延出される位置までの距離と等しく、巻胴部の軸心から他の第一通路とまでの距離は、巻胴部の軸心から導線の層の他端が延出される位置までの距離と等しくなるように構成されていることが好ましい。
【００１４】
このような構成によると、巻回部から延出されるすべての導線の位置を正確に規定することができるため、すべての導線の沿面距離を正確に規定することができる。
【００１５】
また第二通路は、軸方向において、第三通路よりも巻回空間側に位置していることが好ましく、第三通路は、軸方向において、突起部よりも巻回空間側に位置していることが好ましい。
【００１６】
また掛止面は、軸方向において、ピン端子の導線が接続される箇所よりも巻回空間側に位置していることが好ましい。
【００１７】
これらのような構成によると、第一通路から第二通路、第三通路、及び突起部へと行くに従い、巻回空間側から反巻回空間側へと導線を配置することができる。よって導線を巻回部からピン端子へと配線する際に、スムーズに配線することができる。
【発明の効果】
【００１８】
本発明のコイル部品によれば、確実に沿面距離を確保することができる。
【図面の簡単な説明】
【００１９】
【図１】本発明の実施の形態に係るコイル部品の斜視図。
【図２】本発明の実施の形態に係るコイル部品のボビンの底面図。
【図３】本発明の実施の形態に係るコイル部品のボビンおよび導線の正面図。
【図４】本発明の実施の形態に係るコイル部品のボビンおよび導線の側面図。
【図５】本発明の実施の形態に係るコイル部品のボビンおよび導線の背面図。
【図６】本発明の実施の形態に係るコイル部品のボビンおよび導線の底面図。
【図７】本発明の実施の形態に係るコイル部品の巻回部の状態を示す断面概略図。
【図８】本発明の実施の形態に係るコイル部品のボビンにおける第一通路近傍位置の拡大部分底面図。
【図９】本発明の実施の形態に係るコイル部品の変形例に係るボビンにおける第一通路近傍位置の拡大部分底面図。
【図１０】従来例に係るコイル部品のボビンにおける第一通路近傍位置の拡大部分底面図。
【発明を実施するための形態】
【００２０】
以下、本発明の第一の実施の形態に係るコイル部品について、図１から図７に基づき説明する。図１に示されるコイル部品１は、コイルである後述の巻回部５０の軸方向が実装面に略直交するいわゆる縦型のトランスであり、コア１０と、ボビン２０と、巻回部５０とから主に構成されている。以下の説明においては、実装面と直交する方向をＺ軸方向として定義し実装面からコイル部品１に向かう方向を上方としてＺ軸方向上側（他面側）、下側（一面側）を定義する。また、後述の第一端子台３０（図２）から第二端子台４０に向かう方向をＺ軸方向と直交するＹ軸方向と定義し、Ｚ軸方向、Ｙ軸方向のそれぞれに直交する方向をＸ軸方向と定義する。尚、Ｘ軸方向、Ｙ軸方向においては、図中のＸ軸方向、Ｙ軸方向を示す矢印において、矢印の原点側を一端側、矢印の先端側を他端側として説明する。
【００２１】
コア１０は、上下に二分割されそれぞれ略Ｅ字形状の略同一形状を成す第一コア１０Ａ及び第二コア１０Ｂから構成されている。第一コア１０Ａはボビン２０に形成された後述の下溝２２ａ（図４）内に挿入され、Ｅ字形状の中央が後述の貫通孔２１ａ（図２）内に挿入されている。第二コア１０Ｂはボビン２０に形成された後述の上溝２３ａ（図４）内に挿入され、Ｅ字形状の中央部分が後述の貫通孔２１ａ（図２）内に挿入されており、第一コア１０ＡのＥ字形状の先端と第二コア１０ＢのＥ字形状の先端とが当接している。この第一コア１０Ａと第二コア１０Ｂとが当接することにより、巻回部５０周りに閉磁路が形成される。
【００２２】
ボビン２０は絶縁樹脂製であり、図３及び図４に示されるように巻胴部２１と下鍔部２２と上鍔部２３とから主に構成されている。図２に示されるように巻胴部２１は、Ｚ軸と平行な中心軸（軸心）Ｇを有する円筒状に構成されており、内部に貫通孔２１ａが形成され、外周に巻回部５０が形成されている。
【００２３】
下鍔部２２は、図４に示されるようにＺ軸と直交する平板状に構成されており、この平板の上面で巻胴部２１の上端側に接続されている。下鍔部２２には、Ｙ軸方向一端側及び他端側にそれぞれ位置する第一端子台３０と第二端子台４０とが規定されており、第一端子台３０と第二端子台４０との間には、第一コア１０Ａが挿入される幅広の溝である下溝２２ａがＸ軸方向に延びるように形成されている。
【００２４】
上鍔部２３は、Ｚ軸と直交する平板状に構成されており、この平板の下面で巻胴部２１の上端側に接続されている。上鍔部２３の上面には、下溝２２ａと平行にＸ軸方向に延び第二コア１０Ｂが挿入される幅広の溝である上溝２３ａが形成されている。上述の貫通孔２１ａは下溝２２ａ内及び上溝２３ａ内に開口している。上鍔部２３と、下鍔部２２との間であって巻胴部２１の周囲には、後述の巻回部５０が配置される巻回空間が規定されている。
【００２５】
第一端子台３０及び第二端子台４０は、コイル部品１を図示せぬ実装面上に載置する際に実装面と当接する箇所として機能している。また第一端子台３０の上面および第二端子台４０の上面は、それぞれ下鍔部２２の上面と一致しており、上述の巻回空間を画成する壁の一部に成っている。
【００２６】
第一端子台３０は、図４に示されるように、第一端子台第一リブ３１と、第一端子台第二リブ３２と、第一端子台ピン保持部３３とから主に構成されている。第一端子台第一リブ３１は、図３に示されるように、Ｘ−Ｙ平面と平行かつＸ軸方向に延びて下鍔部２２の一部を成しており、巻胴部２１と共に上述の巻回空間を画成している。図２に示されるように、第一端子台第一リブ３１には、第一端子台３０の外周となるＹ軸方向一端側の端部からＹ軸方向他端側（巻胴部２１側）に向けて延出され、Ｘ軸方向一端側から他端側に向かって並列し、巻回空間内外を連通する第一スリット３０ａ、第一スリット３０ｂが形成されている。第一スリット３０ａのＹ軸方向他端位置には、Ｘ軸方向一端側に向けて穿設された溝が形成されており、この溝内に第一通路３１ａが規定されている。第一スリット３０ｂのＹ軸方向他端位置には、Ｘ軸方向他端側に向けて穿設された溝が形成されており、この溝内に第一通路３１ｂが規定されている。第一スリット３０ａ、第一スリット３０ｂは、図６に示されるように、これら第一通路３１ａ、３１ｂの軸心Ｇからの半径方向距離Ｒ２、Ｒ３が、Ｒ２＜Ｒ３となるように形成されている。
【００２７】
第一端子台第二リブ３２は、図２に示されるようにＸ軸方向に延びると共にＸ軸方向の中央部分が折れ曲がって巻胴部２１と重なるように構成されており、下溝２２ａ（図４）を画成している。図３に示されるように第一端子台第二リブ３２において、Ｘ軸方向他端側及び一端側には、下側へ向けて突出する凸部３０Ａ、３０Ｂが設けられている。
【００２８】
また第一端子台第二リブ３２は、図２に示されるように第一端子台ピン保持部３３（図４）と協働して、溝状の第二通路３２ａ、第二通路３２ｂを画成している。第二通路３２ａ、第二通路３２ｂは第一端子台第二リブ３２に沿ってそれぞれＸ軸方向一端側、Ｘ軸方向他端側に延出されており、それぞれ第一通路３１ａ、第一通路３１ｂと連通している。また第二通路３２ａ、第二通路３２ｂの底面は、第一端子台第一リブ３１の反巻回空間側の下面から構成されている。第一端子台ピン保持部３３は、図４に示されるように第一端子台第二リブ３２のＹ軸方向一端側に配置されており、図２に示されるように、第一端子台第二リブ３２と協働して第二通路３２ａを画成する第一ピン基部３３Ａと、第一端子台第二リブ３２と協働して第二通路３２ｂを画成する第一ピン基部３３Ｂとから構成されている。第一ピン基部３３Ａと第一ピン基部３３Ｂとは、Ｘ軸方向の一端側から他端側に向けて並列しており、それぞれ第二通路３２ａの底面及び第二通路３２ｂの底面（第一端子台第一リブ３１の下面）よりＺ軸方向下側に突出している。図２に示されるように第一ピン基部３３Ａの一端側側縁と第一ピン基部３３Ｂの他端側側縁とは、それぞれＹ軸方向に延びる第三通路３３ａ、第三通路３３ｂを規定している。第三通路３３ａ、３３ｂは、Ｙ軸方向他端側でそれぞれ第二通路３２ａ、第二通路３２ｂに連通すると共に、第一端子台ピン保持部３３のＹ軸方向一端側端面まで延びており、第二通路３２ａ、第二通路３２ｂと同様に、底面が第一端子台第一リブ３１の反巻回空間側の下面から構成されている。
【００２９】
第一ピン基部３３Ａ、第一ピン基部３３Ｂの下端面位置であって第三通路３３ａ、第三通路３３ｂ近傍位置には、それぞれピン端子を保持可能な保持孔が形成されており、図２に示されるように第一ピン基部３３Ａ、第１第一ピン基部３３Ｂの保持孔には、それぞれ第一ピン端子３５Ａ、第一ピン端子３５Ｂが設けられている。図３に示されるように、第一ピン端子３５Ａ、第一ピン端子３５Ｂには、第一ピン基部３３Ａ、第一ピン基部３３Ｂへの装着箇所近傍に、後述の二次導線５３の両端がそれぞれ絡げられはんだ付けされる第一絡げ部３５Ｃ、第一絡げ部３５Ｄが規定されている。
【００３０】
また図４に示されるように、第一端子台ピン保持部３３のＹ軸方向一端側端面にはＹ軸方向一端側に向けて突出する第一端子台掛止部３４が設けられている。第一端子台掛止部３４は、図２に示されるように第一ピン基部３３Ａ、第１第一ピン基部３３Ｂに第一端子台掛止部３４Ａ、第一端子台掛止部３４Ｂとして設けられており、第一端子台掛止部３４Ａ、第一端子台掛止部３４Ｂは、図３に示されるように第三通路３３ａ、第三通路３３ｂのＹ軸方向一端側端面に沿って配置されている。
【００３１】
第一端子台掛止部３４Ａ、第一端子台掛止部３４Ｂの上面にはそれぞれ掛止面３４Ｃ、掛止面３４Ｄが規定されている。掛止面３４Ｃ、掛止面３４ＤはＺ軸方向と直交する同一平面上に位置しており、図３に示されるように、第三通路３３ａ、第三通路３３ｂを画成する第一端子台第一リブ３１の下面よりＺ軸方向で下側に位置している。よって第三通路３３ａ、第三通路３３ｂは、第一端子台掛止部３４Ａ、第一端子台掛止部３４ＢよりＺ軸方向上方に位置している。
【００３２】
第二端子台４０は、図４に示されるように、第二端子台第一リブ４１と、第二端子台第二リブ４２と、第二端子台ピン保持部４３とから主に構成されている。第二端子台第一リブ４１は、図５に示されるように、Ｘ−Ｙ平面と平行かつＸ軸方向に延びて第一端子台第一リブ３１と共に下鍔部２２の一部を成しており、巻胴部２１と共に上述の巻回空間を画成している。図２に示されるように、第二端子台第一リブ４１には、第二端子台４０の外周となるＹ軸方向他端側の端部からＹ軸方向一端側（巻胴部２１側）に向けて延出され、Ｘ軸方向他端側から一端側に向かって並列し、巻回空間内外を貫通する第二スリット４０ａ、４０ｂ、４０ｃがそれぞれ形成されている。第二スリット４０ａのＹ軸方向一端位置には、第一通路４１ａが規定されている。第二スリット４０ｂのＹ軸方向一端位置には、Ｘ軸方向他端側および一端側のそれぞれに向けて延設された溝が形成されており、この他端側および一端側の溝内にそれぞれ第一通路４１ｂ、第一通路４１ｃが規定されている。第二スリット４０ｃのＹ軸方向一端位置には、Ｘ軸方向一端側にむけて延設された溝が形成されており、この溝内に第一通路４１ｄが規定されている。第二スリット４０ａ、４０ｂ、４０ｃは、図６に示されるように、第一通路４１ａの軸心Ｇからの半径方向距離Ｒ５、第一通路４１ｂ、４１ｃの軸心Ｇからの半径方向距離Ｒ１、第一通路４１ｄの軸心Ｇからの半径方向距離Ｒ４が、Ｒ１＜Ｒ２＜Ｒ３＜Ｒ４＜Ｒ５となるように形成されている。
【００３３】
第二端子台第二リブ４２は、図２に示されるように、Ｘ軸方向に延びると共にＸ軸方向の中央部分が折れ曲がって巻胴部２１と重なるように構成されており、第一端子台第二リブ３２と共に下溝２２ａ（図４）を画成している。図５に示されるように第二端子台第二リブ４２において、Ｘ軸方向他端側及び一端側には、下側へ向けて突出する凸部４０Ａ、４０Ｂが設けられている。これら凸部４０Ａ、４０Ｂは、凸部３０Ａ、３０Ｂと協働してコイル部品１の図示せぬ実装面との当接箇所になる。
【００３４】
また第二端子台第二リブ４２は、図２に示されるように第二端子台ピン保持部４３（図４）と協働して、溝状の第二通路４２ａ〜４２ｄを画成している。第二通路４２ａ〜４２ｄはそれぞれ第二端子台第二リブ４２に沿うと共に、Ｘ軸方向他端側から一端側に略縦一列に並んで形成されている。第二通路４２ａは、第一通路４１ａと連通しており、第一通路４１ａと連通する箇所からＸ軸方向他端側に延出されている。第二通路４２ｂは、第一通路４１ｂと連通しており、第一通路４１ｂと連通する箇所からＸ軸方向他端側に延出されている。第二通路４２ｃは、第一通路４１ｃと連通しており、第一通路４１ｃと連通する箇所からＸ軸方向一端側に延出されている。第二通路４２ｄは、第一通路４１ｄと連通しており、第一通路４１ｄと連通する箇所からＸ軸方向一端側に延出されている。また第二通路４２ａ〜４２ｄの底面は、第二端子台第一リブ４１の反巻回空間側の下面から構成されている。
【００３５】
第二端子台ピン保持部４３は、図４に示されるように第二端子台第二リブ４２のＹ軸方向他端側に配置されており、図２に示されるように、第二端子台第二リブ４２と協働して第二通路４２ａを画成する第二ピン基部４３Ａと、第二端子台第二リブ４２と協働して第二通路４２ｂを画成する第二ピン基部４３Ｂと、第二端子台第二リブ４２と協働して第二通路４２ｃを画成する第二ピン基部４３Ｃと、第二端子台第二リブ４２と協働して第二通路４２ｄを画成する第二ピン基部４３Ｄとから構成されている。第二ピン基部４３Ａ〜４３Ｄとは、Ｘ軸方向の他端側から一他端側に向けて並列しており、それぞれ第二通路４２ａ〜４２ｄの底面（第二端子台第一リブ４１の下面）よりＺ軸方向下側に突出している。図２に示されるように第二ピン基部４３Ａの他端側側縁と、第二ピン基部４３Ｂの他端側側縁と、第二ピン基部４３Ｃの一端側側縁と、第二ピン基部４３Ｄの一端側側縁とには、それぞれＹ軸方向に延びる第三通路４３ａ〜４３ｄが形成されている。第三通路４３ａ〜４３ｄは、Ｙ軸方向一端側でそれぞれ第二通路４２ａ〜４２ｄに連通すると共に、Ｙ軸方向他端側で第二端子台ピン保持部４３のＹ軸方向他端側端面まで延びており、第二通路４２ａ〜４２ｄと同様に、底面が第二端子台第一リブ４１の反巻回空間側の下面から構成されている。
【００３６】
第二ピン基部４３Ａ〜４３Ｄの下端面であって第三通路４３ａ〜４３ｄ近傍位置には、それぞれピン端子を保持可能な保持孔が形成されており、図２に示されるように第二ピン基部４３Ａ〜４３Ｄの保持孔には、それぞれ第二ピン端子４５Ａ〜４５Ｄが設けられている。図５に示されるように、第二ピン端子４５Ａ、第二ピン端子４５Ｄには、第二ピン基部４３Ａ、第二ピン基部４３Ｄへの装着箇所近傍に、後述の二次導線５４の両端がそれぞれ絡げられはんだ付けされる第一絡げ部４５Ｅ、第一絡げ部４５Ｈが規定されている。また第二ピン端子４５Ｂ、第二ピン端子４５Ｃには、第二ピン基部４３Ｂ、第二ピン基部４３Ｃへの装着箇所近傍に、後述の一次導線５１の両端がそれぞれ絡げられはんだ付けされる第一絡げ部４５Ｆ、第一絡げ部４５Ｇが規定されている。
【００３７】
また図４に示されるように、第二端子台ピン保持部４３のＹ軸方向一端側端面にはＹ軸方向一端側に向けて突出する第二端子台掛止部４４が設けられている。第二端子台掛止部４４は、図２に示されるように第二ピン基部４３Ａ〜４３Ｄにそれぞれ第二端子台掛止部４４Ａ〜４４Ｄとして設けられており、第二端子台掛止部４４Ａ〜第二端子台掛止部４４Ｄは、図５に示されるようにそれぞれ第三通路４３ａ〜４３ｄのＹ軸方向他端側端面に沿って配置されている。
【００３８】
第二端子台掛止部４４Ａ〜４４ＤのＺ軸方向上面にはそれぞれ掛止面４４Ｅ〜４４Ｈが規定されている。掛止面４４Ｅ〜４４ＨはＺ軸方向と直交する同一平面上に位置しており第三通路４３ａ〜４３ｄを画成する第二端子台第一リブ４１の下面よりＺ軸方向で下側に位置している。よって第三通路４３ａ〜４３ｄは、第二端子台掛止部４４Ａ〜４４ＤよりＺ軸方向上方に位置している。
【００３９】
巻回部５０は、図７に示されるように、一次導線５１と、二次導線５３及び二次導線５４とが、それぞれ層を形成するように巻胴部２１周りに巻回されて構成されている。また巻回部５０のそれぞれの層間及び最外周には各々の導線の間を絶縁する絶縁テープ５０Ａが巻かれている。この一次導線５１および二次導線５３、５４はいずれもエナメル等の絶縁体が被覆された細線を複数本縒り合わせ縒り線として構成された被覆導線である。
【００４０】
一次導線５１は、図７に示されるように、巻胴部２１周りに、軸心Ｇから一次導線５１の層の半径方向中心までの距離がＲ１になるように巻回されている。図６に示されるように、一次導線５１の巻回部５０（図１）から延出されている一端部５１Ａは、第一通路４１ｃを貫通して、巻回空間から反巻回空間である下鍔部２２下面側（第二端子台４０下面側）に導かれ、第一通路４１ｃから第二通路４２ｃ、第三通路４３ｃを介して掛止面４４Ｇ（図５）に掛けられた後に、第二ピン端子４５Ｃの絡げ部４５Ｇに絡げられてはんだ付けされている。同様に他端部５１Ｂは、第一通路４１ｂを貫通し、第二通路４２ｂ、第三通路４３ｂを介して掛止面４４Ｆ（図５）に掛けられた後に、第二ピン端子４５Ｂの絡げ部４５Ｆに絡げられてはんだ付けされている。
【００４１】
二次導線５３は、図７に示されるように、一次導線５１上に巻回された絶縁テープ５０Ａ周りに、軸心Ｇから巻回開始位置までの距離がＲ２となり、軸心Ｇから巻回終了位置までの距離がＲ３になるように巻回されている。図６に示されるように二次導線５３の巻回部５０から延出されている一端部５３Ａは、第一通路３１ｂを貫通して、巻回空間から反巻回空間である下鍔部２２下面側（第一端子台３０下面側）に導かれ、第一通路３１ｂから第二通路３２ｂ、第三通路３３ｂを介して掛止面３４Ｄ（図３）に掛けられた後に、第一ピン端子３５Ｂの絡げ部３５Ｄに絡げられてはんだ付けされている。同様に他端部５３Ｂは、第一通路３１ａを貫通し、第二通路３２ａ、第三通路３３ａを介して掛止面３４Ｃ（図３）に掛けられた後に、第一ピン端子３５Ａの絡げ部３５Ｃに絡げられてはんだ付けされている。
【００４２】
二次導線５４は、図７に示されるように、二次導線５３に巻回された絶縁テープ５０Ａ周りに、軸心Ｇから巻回開始位置までの距離がＲ４となり、軸心Ｇから巻回終了位置までの距離がＲ５になるように巻回されている。図６に示されるように二次導線５４の巻回部５０から延出されている一端部５４Ａは、第一通路４１ｄを貫通して、巻回空間から反巻回空間である下鍔部２２下面側（第二端子台４０下面側）に導かれ、第一通路４１ｄから第二通路４２ｄ、第三通路４３ｄを介して掛止面４４Ｈ（図５）に掛けられた後に、第二ピン端子４５Ｄの絡げ部４５Ｈに絡げられてはんだ付けされている。同様に他端部５４Ｂは、第一通路４１ａを貫通し、第二通路４２ａ、第三通路４３ａを介して掛止面４４Ｅ（図５）に掛けられた後に、第二ピン端子４５Ａの絡げ部４５Ｅに絡げられてはんだ付けされている。
【００４３】
一次導線５１と二次導線５３及び二次導線５４とのそれぞれの一端および他端が延出される箇所の軸心Ｇからの距離は、それぞれの一端および他端が挿通される第一通路３１ａ、３１ｂ、４１ａ〜４１ｄの軸心Ｇからの距離と一致している。よって巻回部５０から各々の導線の一端および他端を引き出して各々の第一通路に挿通する際に、各々の一端および他端を軸心Ｇ周りの半径方向と直交するＺ軸方向に引き出すことができる。このように一端および他端を巻回部５０から引き出すことにより、引き出された一端および他端が、巻回部５０を形成する他の導線に近接することが抑制され、引き出された一端および他端から巻回部５０までの沿面距離を確実に保つことができる。
【００４４】
また図２に示されるように第一通路４１ａ以外の、第一通路３１ａ、３１ｂ、４１ｂ〜４１ｄについては、いずれもスリットに形成された溝から提供されている。代表例として、図８に示されるように、第一通路３１ａでは、二次導線５３の他端部５３Ｂが挿通されている。第一通路３１ａを貫通した二次導線は、第一スリット３０ａの延出方向と交差する第二通路３２ａを通り、第一スリット３０ａと平行かつ第一スリット３０ａの開口側（Ｙ軸方向一端側）に向けて引き回されるように第三通路３３ａ内に配線されている。他端部５３Ｂがこのように配線されることにより、第一通路３１ａを貫通している他端部５３Ｂにも第一スリット３０ａの延出方向であって開口側に移動する力が加えられる。しかし、第一通路３１ａが規定された溝は、第一スリット３０ａの延出方向と交差するように形成されているため、この溝の内面が他端部５３Ｂの移動を規制する規制部として作用し、他端部５３Ｂが第一スリット３０ａの開口側に移動することが抑制される。この移動が抑制されることにより、巻回部５０から引き出された他端部５３Ｂが、巻回部５０において二次導線５３の外周に位置する二次導線５４に近接することが抑制され、二次導線５３の他端部５３Ｂと巻回部５０を構成している二次導線５４との間の沿面距離を確実に保つことができる。
【００４５】
また二次導線５３は、一次導線５１や二次導線５４と同様に芯線が複数本ある縒り線で構成されているため、芯線が一本の導線に比べて第一通路３１ａ内等への追従性が優れている。しかし追従性が優れると、例えば第一通路３１ａと第二通路３２ａとの境界になる角部分等で他端部５３Ｂが潰れて第一スリット３０ａの延出方向に拡がるおそれがある。具体的には、従来例として、図１０に示されるように第一通路が溝ではなくスリットの最深部に規定されている場合を想定する。この構成において、第一通路１３１ａから第二通路１３２ａに引き回された他端１５３Ｂは、スリット１３０ａの内面に沿って広がり、一部は、二次導線１５３の外周に位置する二次導線１５４に近接する。これに対して本実施の形態では、図８に示されるように、第一通路３１ａが溝内に規定されており、この溝により第一スリット３０ａの延出方向への移動が規制されているため、図１０の従来例ほど他端部５３Ｂが潰れて拡がることはなく、故に二次導線１５４に近接することも抑制されて沿面距離を確保することができる。
【００４６】
尚、第一通路４１ａが規定される第二スリット４０ａについては、溝を備えていないが、第一通路４１ａを貫通する二次導線５４の他端部５４Ｂは、巻回部５０の最外層から引き出されているため、仮に第一通路４１ａ内で第二スリット４０ａの延出方向であって開口側に移動したとしても、近接する導線等が存在しないため沿面距離を考慮する必要が無く、故にあえて溝を備えない構成を採っている。
【００４７】
上述のように一次導線５１および二次導線５３、５４は、Ｚ軸方向と平行に延びる第一通路３１ａ、３１ｂ、４１ａ〜４１ｄと、Ｘ軸方向に延びる第二通路３２ａ、３２ｂ、４２ａ〜４２ｄと、Ｙ軸方向に延びる第三通路３３ａ、３３ｂ、４３ａ〜４３ｄとを経た後に更に第一端子台掛止部３４、４４に掛けられ、各々第一絡げ部３５Ｃ、３５Ｄおよび第二絡げ部４５Ｅ〜４５Ｈにてはんだ付けされる。はんだ付けは溶融したはんだが溜められた槽内に第一ピン端子３５Ａ、３５Ｂ、第二ピン端子４５Ａ〜４５Ｄを浸漬することにより行われるが、溶融したはんだは高温で流動性が優れるため、第一絡げ部３５Ｃ、３５Ｄおよび第二絡げ部４５Ｅ〜４５Ｈから巻回部５０に向けて一次導線５１および二次導線５３、５４の縒り線の隙間に毛細管現象で入り込む可能性がある。しかし、一次導線５１および二次導線５３、５４が配される巻回部５０から第一絡げ部３５Ｃ、３５Ｄおよび第二絡げ部４５Ｅ〜４５Ｈまでの間の通路を第一通路〜第三通路と長く取っているので、一次導線５１および二次導線５３、５４の絡げ部にはんだが付着したとしても、巻回部５０から一次導線５１および二次導線５３、５４のはんだが付着した箇所までの沿面距離を確保することができ、絶縁不良の発生を抑制することができる。
【００４８】
また上述のように、第一通路、第二通路、第三通路は、それぞれＺ軸方向、Ｘ軸方向、Ｙ軸方向と平行な方向に形成されている。よってコイル部品１がコンパクトであっても、第一通路〜第三通路の経路長を大きくすることができ、沿面距離を稼ぐことができる。
【００４９】
本発明によるコイル部品は上述した実施の形態に限定されず特許請求の範囲に記載された範囲で種々の改良や変形が可能である。例えば上述の実施の形態において、第二通路と第三通路との底面をいずれも第一リブの下面として同一平面上に配置したが、これに限らず、第三通路の底面を第二通路の底面より下側に配置してもよい。このような構成によると、導線を第二通路から第三通路に引き回し、その後に掛止面に掛ける際に作業がし易くなり、生産性を高めることができる。
【００５０】
また、本実施の形態では、スリット内に挿通された導線のスリット延出方向への移動を規制する規制部として、スリット延出方向と交差する方向に穿設された溝を提供し、この溝内に第一通路を規定しているが、これに限らず、図９に示されるように規制部として例えば第一スリット２３０ａ内周に第一スリット２３０ａの延出方向と交差する突起２３１Ａを設け、第一スリット２３０ａ内の突起２３１Ａ近傍かつ突起２３１Ａよりも最深部側に第一通路２３１ａを規定してもよい。このような構成であれば、突起２３１Ａにより第一通路２３１ａの導線２５３Ｂがスリット延出方向へ移動することが規制され、本実施の形態における溝と同様に導線位置を正確に規定することができる。
【符号の説明】
【００５１】
１・・コイル部品  １０・・コア  １０Ａ・・第一コア  １０Ｂ・・第二コア
２０・・ボビン  ２１・・巻胴部  ２１ａ・・貫通孔  ２２・・下鍔部  ２２ａ・・下溝
２３・・上鍔部  ２３ａ・・上溝  ３０・・第一端子台  ３０Ａ、３０Ｂ・・凸部
３０ａ、３０ｂ・・第一スリット  ３１・・第一端子台第一リブ
３１ａ、３１ｂ・・第一通路  ３２・・第一端子台第二リブ
３２ａ、３２ｂ・・第二通路  ３３・・第一端子台ピン保持部
３３Ａ、３３Ｂ・・第一ピン基部  ３３ａ、３３ｂ・・第三通路
３４・・第一端子台掛止部  ３４Ａ、３４Ｂ・・第一端子台掛止部
３４Ｃ、３４Ｄ・・掛止面  ３５Ａ、３５Ｂ・・第一ピン端子
３５Ｃ、３５Ｄ・・絡げ部  ４０・・第二端子台  ４０Ａ、４０Ｂ・・凸部
４０ａ、４０ｂ、４０ｃ・・第二スリット  ４１・・第二端子台第一リブ
４１ａ、４１ｂ、４１ｃ、４１ｄ・・第一通路  ４２・・第二端子台第二リブ
４２ａ、４２ｂ、４２ｃ、４２ｄ・・第二通路  ４３・・第二端子台ピン保持部
４３Ａ、４３Ｂ、４３Ｃ、４３Ｄ・・第二ピン基部
４３ａ、４３ｂ、４３ｃ、４３ｄ・・第三通路  ４４・・第二端子台掛止部
４４Ａ、４４Ｂ、４４Ｃ、４４Ｄ・・第二端子台掛止部
４４Ｅ、４４Ｆ、４４Ｇ、４４Ｈ・・掛止面
４５Ａ、４５Ｂ、４５Ｃ、４５Ｄ・・第二ピン端子
４５Ｅ、４５Ｆ、４５Ｇ、４５Ｈ・・絡げ部
５０・・巻回部  ５０Ａ・・絶縁テープ  ５１・・一次導線  ５１Ａ・・一端
５１Ｂ・・他端  ５３・・二次導線  ５３Ａ・・一端  ５３Ｂ・・他端
５４・・二次導線  ５４Ａ・・一端  ５４Ｂ・・他端
【図１】
2011222637.tif 000003
【図２】
2011222637.tif 000004
【図３】
2011222637.tif 000005
【図４】
2011222637.tif 000006
【図５】
2011222637.tif 000007
【図６】
2011222637.tif 000008
【図７】
2011222637.tif 000009
【図８】
2011222637.tif 000010
【図９】
2011222637.tif 000011
【図１０】
2011222637.tif 000012